(57)【要約】【課題】高級感があり、面白みのある缶バッジを提供する。【解決手段】缶バッジ１は、上側に形状が適宜選択される底を有する筒形状の蓋部１４と、この蓋部１４の上方に配置され、プレス機によってプレスされた場合に蓋部１４のエッジ１４Ａを回り込むように被覆するだけの十分な大きさの外径を有する防護部１３と、この防護部１３の上方に配置され、蓋部１４の外径以下の径を有し、弾性体によって形成される弾性部１２と、弾性部１２の上方に配置され、柔軟性のある素材によって形成され、プレス機によってプレスされた場合に蓋部１４のエッジ１４Ａを回り込むように被覆するだけの十分な大きさの外径を有するシート状の装飾部１１と、蓋部１４の内径より小さく、蓋部１４の底の形状に相応した形状をなし、蓋部１４と嵌合する外径を有する底部１５と、を備える。【選択図】図１
2019005414.tif 000002
【特許請求の範囲】
【請求項１】
上側に形状が適宜選択される底を有する筒形状の蓋部と、
前記蓋部の上方に配置され、前記蓋部の外径より大きく、プレス機によってプレスされた場合に前記蓋部のエッジを回り込むように被覆するだけの十分な大きさの外径を有する防護部と、
前記防護部の上方に配置され、前記蓋部の外径以下の径を有し、弾性体によって形成される弾性部と、
前記弾性部の上方に配置され、柔軟性のある素材によって形成され、前記蓋部の外径より大きく、プレス機によってプレスされた場合に前記蓋部の前記エッジを回り込むように被覆するだけの十分な大きさの外径を有するシート状の装飾部と、
前記蓋部の内径より小さく、前記蓋部の前記底の形状に相応した形状をなし、前記蓋部と嵌合する外径を有する底部と、
を備える缶バッジ。
【請求項２】
上側に形状が適宜選択される底を有する筒形状の蓋部と、
前記蓋部の上方に配置され、前記蓋部の外径より大きく、プレス機によってプレスされた場合に前記蓋部のエッジを回り込むように被覆するだけの十分な大きさの外径を有し、弾性体によって形成される弾性部と、
前記弾性部の上方に配置され、柔軟性のある素材によって形成され、前記蓋部の外径より大きく、プレス機によってプレスされた場合に前記蓋部の前記エッジを回り込むように被覆するだけの十分な大きさの外径を有するシート状の装飾部と、
前記蓋部の内径より小さく、前記蓋部の前記底の形状に相応した形状をなし、前記蓋部と嵌合する外径を有する底部と、
を備える缶バッジ。
【請求項３】
上側に形状が適宜選択される底を有する筒形状の蓋部と、
前記蓋部の上方に配置され、前記蓋部の外径より大きく、プレス機によってプレスされた場合に前記蓋部のエッジを回り込むように被覆するだけの十分な大きさの外径を有する防護部と、
前記防護部の上方に配置され、前記蓋部の外径以下の径を有し、弾性体によって形成される弾性部と、
前記弾性部の上方に配置され、前記弾性部の外径以下の径を有し、弾性体によって形成される補助弾性部と、
前記補助弾性部の上方に配置され、柔軟性のある素材によって形成され、前記蓋部の外径より大きく、プレス機によってプレスされた場合に前記蓋部の前記エッジを回り込むように被覆するだけの十分な大きさの外径を有するシート状の装飾部と、
前記蓋部の内径より小さく、前記蓋部の前記底の形状に相応した形状をなし、前記蓋部と嵌合する外径を有する底部と、
を備える缶バッジ。
【発明の詳細な説明】
【技術分野】
【０００１】
本発明は、缶バッジに関する。
【背景技術】
【０００２】
缶バッジは多様な柄を容易に、しかも安価に装飾できるため、現在でも人気がある。缶バッジは、装飾用のシートによって被覆される蓋部と、ピンを有し、蓋部が装着される底部と、を備える。
【０００３】
従来の缶バッジは次のように製造されていた。まず、蓋部に装飾用のシートを積層し、その上に透明のプラスチックフィルムを更に積層し、これを専用のプレス機によって蓋部に固定する。次に、底部にこの蓋部を装着し、専用のプレス機によって蓋部を底部に固定する。
【０００４】
このように製造された缶バッジは、様々な装飾用シートを使用でき、変化に富んだものを作成できる。しかし、どのバッジも表面が光沢のあるプラスチックフィルムによっておおわれているため、高級感と、面白みに乏しいものとなっていた。
【０００５】
この点に関し、装飾用のシートの上に立体形状の装飾部材を積層し、この上をさらに柔軟性のあるフィルムによって被覆した缶バッジが提案されている（例えば、特許文献１）。
【０００６】
しかし、この技術によっても缶バッジは、動きが伴わないため面白みに欠け、立体形状の装飾部材の形状が表面に突出しているため、手触りの悪いものとなっていた。
【先行技術文献】
【特許文献】
【０００７】
【特許文献１】特開２００７−２８９２１２号公報
【発明の概要】
【発明が解決しようとする課題】
【０００８】
本発明は、高級感があり、面白みのある缶バッジを提供することを課題とする。
【課題を解決するための手段】
【０００９】
前記課題を解決するため、本発明の缶バッジは、上側に形状が適宜選択される底を有する筒形状の蓋部と、前記蓋部の上方に配置され、前記蓋部の外径より大きく、プレス機によってプレスされた場合に前記蓋部のエッジを回り込むように被覆するだけの十分な大きさの外径を有する防護部と、前記防護部の上方に配置され、前記蓋部の外径以下の径を有し、弾性体によって形成される弾性部と、前記弾性部の上方に配置され、柔軟性のある素材によって形成され、前記蓋部の外径より大きく、プレス機によってプレスされた場合に前記蓋部の前記エッジを回り込むように被覆するだけの十分な大きさの外径を有するシート状の装飾部と、前記蓋部の前記底の形状に相応した形状をなし、前記蓋部の内径より小さな外径を有する底部と、を備える。
【発明の効果】
【００１０】
本発明によれば、高級感があり、面白みのある缶バッジを提供することができる。
【図面の簡単な説明】
【００１１】
【図１】第１の実施形態の缶バッジの積層構造を示す図。
【図２】缶バッジの平面斜視図。
【図３】缶バッジの裏面斜視図。
【図４】第１の実施形態の缶バッジの図２におけるＡＡ線断面図。
【図５】第２の実施形態の缶バッジの積層構造を示す図。
【図６】第２の実施形態の缶バッジの図２におけるＡＡ線断面図。
【図７】第３の実施形態の缶バッジの積層構造を示す図。
【図８】第３の実施形態の缶バッジの図２におけるＡＡ線断面図。
【発明を実施するための形態】
【００１２】
以下、本発明の実施形態の一例にかかる缶バッジ１を、図面を参照しながら説明する。
【００１３】
（第１の実施形態）
図１は本実施形態の缶バッジ１の積層構造を示す図、図２は缶バッジ１の平面斜視図、図３は缶バッジ１の裏面斜視図、図４は缶バッジ１の図２におけるＡＡ線断面図である。
【００１４】
図１から図４に示すように、缶バッジ１は、蓋部１４と、底部１５と、を備える。蓋部１４には、下側から防護部１３、弾性部１２、装飾部１１が順に積層される。
【００１５】
蓋部１４は、アルミニウム、ステンレス、ブリキ等の金属によって形成される有底の筒である。蓋部１４の底面の形状は、円形状のほか、楕円形状、三角形、四角形、長方形、多角形、ハート形などのように形状は適宜選択される。
【００１６】
底部１５は、アルミニウム、ステンレス、ブリキ等の金属によって形成される有底の筒の底に安全ピン、クリップ、マグネットのような係止具を設けた部材である。底部１５の外径は蓋部の内径より若干小さい。
【００１７】
防護部１３は、例えばポリ塩化ビニル（ＰＶＣ：polyvinyl chloride）等の合成樹脂によって形成される円盤状又は、リング状などの蓋部１４の底面の形状に相応した形状のフィルムである。防護部１３の厚さは０．０１ｍｍ〜０．０３ｍｍであることが、仕上がりの美観の点から望ましい。防護部１３の外径は蓋部１４の外径より大きく、専用プレス機によって蓋部１４を被覆した場合に蓋部１４の側面の下端部であるエッジ１４Ａを巻き込むのに十分な長さを有する。防護部１３は、従来の缶バッジの最外層の透明な保護フィルムを使用してもよい。なお、防護部１３は、エッジ１４Ａに接触して装飾部１１が破損することを防止することができれば、紙や皮革など、材質は問わない。
【００１８】
弾性部１２は、例えばウレタンなどの合成樹脂によって形成されたスポンジなどの弾性体を用いることが、適度な弾力を得る点から望ましいが、綿などの天然素材の弾性体を用いてもよい。弾性部１２の外径は蓋部１４の外径と同じか若干小さいことが望ましい。弾性部１２の外径は蓋部１４の外径以下であり、弾性部１２の厚さ以上である。弾性部１２の厚さは適宜選択できるが、３ｍｍ〜８ｍｍであることが仕上がりの美しさの点から望ましい。弾性部１２は蓋部１４の底面の形状に相応した形状をなす。
【００１９】
装飾部１１は、例えばウレタンなどの柔軟性のある合成樹脂によって形成されるフィルムである。装飾部１１は合成樹脂のフィルムのほか、化学繊維や天然繊維によって形成される布帛、合成又は天然の皮革によって形成されてもよい。
【００２０】
装飾部１１は蓋部１４の底面の形状に相応した形状をなす。装飾部１１の外径は防護部１３の外径とほぼ等しいか、やや大きい。装飾部１１の厚さは０．０１ｍｍ〜０．０５ｍｍであることが、仕上がりの美観の点から望ましい。装飾部１１の表面には図柄が施されてもよい。
【００２１】
図４に示すように、防護部１３、弾性部１２、及び装飾部１１が積層された蓋部１４は、専用プレス機によって押圧されることにより、防護部１３及び装飾部１１が蓋部１４のエッジ１４Ａを回り込むように折り形がつけられる。防護部１３は装飾部１１がエッジ１４Ａに直接接触して破損することを防止する。この後、これらの部材は更に底部１５に嵌められ、別の専用プレス機によって底部１５に嵌合した状態にて固定される。
【００２２】
以上述べたように、本実施形態の缶バッジ１は、上側に形状が適宜選択される底を有する筒形状の蓋部１４と、この蓋部１４の上方に配置され、蓋部１４の外径より大きく、専用プレス機によってプレスされた場合に蓋部１４のエッジ１４Ａを回り込むように被覆するだけの十分な大きさの外径を有する防護部１３と、この防護部１３の上方に配置され、蓋部１４の外径以下の径を有し、弾性体によって形成される弾性部１２と、弾性部１２の上方に配置され、柔軟性のある素材によって形成され、蓋部１４の外径より大きく、専用プレス機によってプレスされた場合に蓋部１４のエッジ１４Ａを回り込むように被覆するだけの十分な大きさの外径を有するシート状の装飾部１１と、蓋部１４の内径より小さく、前記蓋部の前記底の形状に相応した形状をなし、前記蓋部と嵌合する外径を有する底部１５と、を備える。
【００２３】
従って、手で触ったときに弾力がるため、高級感があり、面白みのある缶バッジを提供することができるという効果がある。
【００２４】
（第２の実施形態）
図５は本実施形態の缶バッジ１の積層構造を示す図、図６は缶バッジ１の図２におけるＡＡ線断面図である。
【００２５】
図５及び図６に示すように、缶バッジ１は、蓋部１４と、底部１５と、を備える。蓋部１４には、下側から弾性部１２、装飾部１１が順に積層され、防護部１３は積層されない。
【００２６】
蓋部１４及び底部１５の構成は第１の実施形態の蓋部１４及び底部１５の構成と同じである。
【００２７】
弾性部１２は、例えばウレタンなどの合成樹脂によって形成されたスポンジなどの弾性体を用いることが、適度な弾力を得る点から望ましいが、綿などの天然素材の弾性体を用いてもよい。弾性部１２の外径は装飾部１１の外径と同じか若干小さいことが望ましい。弾性部１２の外径は装飾部１１の外径以下であり、弾性部１２の厚さ以上である。弾性部１２の厚さは適宜選択できるが、３ｍｍ〜１０ｍｍであることが仕上がりの美しさの点から望ましい。弾性部１２は蓋部１４の底面の形状に相応した形状をなす。
【００２８】
装飾部１１は、第１の実施形態の装飾部１１と同じ構成のものを用いることができる。具体的には、装飾部１１は例えばウレタンなどの柔軟性のある合成樹脂によって形成されるフィルムである。装飾部１１は合成樹脂のフィルムのほか、化学繊維や天然繊維によって形成される布帛、合成又は天然の皮革によって形成されてもよい。
【００２９】
装飾部１１は蓋部１４の底面の形状に相応した形状をなす。装飾部１１の外径は蓋部１４の外径より大きく、専用プレス機によってプレスされた場合に蓋部１４のエッジ１４Ａを回り込むように被覆するだけの十分な大きさの外径である。装飾部１１の厚さは０．０１ｍｍ〜０．０５ｍｍであることが、仕上がりの美観の点から望ましい。装飾部１１の表面には図柄が施されてもよい。
【００３０】
図６に示すように、弾性部１２と装飾部１１が積層された蓋部１４は、専用プレス機によって押圧されることにより、弾性部１２と装飾部１１が蓋部１４のエッジ１４Ａを回り込むように折り形がつけられる。弾性部１２は装飾部１１がエッジ１４Ａに直接接触して破損することを防止する。この後、これらの部材は更に底部１５に嵌められ、別の専用プレス機によって底部１５に嵌合した状態にて固定される。
【００３１】
以上述べたように、本実施形態の缶バッジ１は、上側に形状が適宜選択される底を有する筒形状の蓋部１４と、この蓋部１４の上方に配置され、蓋部１４の外径より大きく、専用プレス機によってプレスされた場合に蓋部１４のエッジ１４Ａを回り込むように被覆するだけの十分な大きさの外径を有し、弾性体によって形成される弾性部１２と、弾性部１２の上方に配置され、柔軟性のある素材によって形成され、蓋部１４の外径より大きく、専用プレス機によってプレスされた場合に蓋部１４のエッジ１４Ａを回り込むように被覆するだけの十分な大きさの外径を有するシート状の装飾部１１と、蓋部１４の内径より小さく、前記蓋部の前記底の形状に相応した形状をなし、前記蓋部と嵌合する外径を有する底部１５と、を備える。
【００３２】
従って、手で触ったときに弾力がるため、高級感があり、面白みのある缶バッジを安価に提供することができるという効果がある。
【００３３】
（第３の実施形態）
図７は本実施形態の缶バッジ１の積層構造を示す図、図８は缶バッジ１の図２におけるＡＡ線断面図である。
【００３４】
図７及び図８に示すように、缶バッジ１は、蓋部１４と、底部１５と、を備える。蓋部１４には、下側から防護部１３、弾性部１２、補助弾性部１２Ａ、装飾部１１が順に積層される。
【００３５】
蓋部１４及び底部１５の構成は第１の実施形態の蓋部１４及び底部１５の構成と同じである。
【００３６】
防護部１３は、例えばポリ塩化ビニル（ＰＶＣ：polyvinyl chloride）等の合成樹脂によって形成される円盤状又は、リング状などの蓋部１４の底面の形状に相応した形状のフィルムである。防護部１３の厚さは０．０１ｍｍ〜０．０３ｍｍであることが、仕上がりの美観の点から望ましい。防護部１３の外径は蓋部１４の外径より大きく、専用プレス機によって蓋部１４を被覆した場合に蓋部１４の側面の下端部であるエッジ１４Ａを巻き込むのに十分な長さを有する。防護部１３は、従来の缶バッジの最外層の透明な保護フィルムを使用してもよい。なお、防護部１３は、エッジ１４Ａに接触して装飾部１１が破損することを防止することができれば、紙や皮革など、材質は問わない。
【００３７】
弾性部１２は、例えばウレタンなどの合成樹脂によって形成されたスポンジなどの弾性体を用いることが、適度な弾力を得る点から望ましいが、綿などの天然素材の弾性体を用いてもよい。弾性部１２の外径は装飾部１１の外径と同じか小さい。弾性部１２の外径は装飾部１１の外径以下であり、弾性部１２の厚さ以上である。弾性部１２の厚さは適宜選択できるが、３ｍｍ〜８ｍｍであることが仕上がりの美しさの点から望ましい。弾性部１２は蓋部１４の底面の形状に相応した形状をなす。
【００３８】
補助弾性部１２Ａは、例えばウレタンなどの合成樹脂によって形成されたスポンジなどの弾性体を用いることが、適度な弾力を得る点から望ましいが、綿などの天然素材の弾性体を用いてもよい。補助弾性部１２Ａの外径は蓋部１４の外径と同じか小さい。補助弾性部１２Ａの外径は蓋部１４の外径以下であり、補助弾性部１２Ａの厚さ以上である。補助弾性部１２Ａの厚さは適宜選択できるが、３ｍｍ〜８ｍｍであることが仕上がりの美しさの点から望ましい。補助弾性部１２Ａの形状は適宜選択されうる。
【００３９】
装飾部１１は、例えばウレタンなどの柔軟性のある合成樹脂によって形成されるフィルムである。装飾部１１は合成樹脂のフィルムのほか、化学繊維や天然繊維によって形成される布帛、合成又は天然の皮革によって形成されてもよい。
【００４０】
装飾部１１は蓋部１４の底面の形状に相応した形状をなす。装飾部１１の外径は防護部１３の外径とほぼ等しいか、やや大きい。装飾部１１の厚さは０．０１ｍｍ〜０．０５ｍｍであることが、仕上がりの美観の点から望ましい。装飾部１１の表面には図柄が施されてもよい。
【００４１】
図８に示すように、防護部１３、弾性部１２、及び装飾部１１が積層された蓋部１４は、専用プレス機によって押圧されることにより、弾性部１２、防護部１３及び装飾部１１が蓋部１４のエッジ１４Ａを回り込むように折り形がつけられる。弾性部１２及び防護部１３は装飾部１１がエッジ１４Ａに直接接触して破損することを防止する。この後、これらの部材は更に底部１５に嵌められ、別の専用プレス機によって底部１５に嵌合した状態にて固定される。
【００４２】
なお、弾性部１２及び防護部１３のうち少なくともいずれか一方が蓋部１４のエッジ１４Ａを回り込むように折り形がつけられれば装飾部１１の破損を防止することができるため、弾性部１２及び防護部１３のうちいずれか一方は外径がエッジ１４Ａに届かないような長さであってもよい。
【００４３】
以上述べたように、本実施形態の缶バッジ１は、上側に形状が適宜選択される底を有する筒形状の蓋部１４と、この蓋部１４の上方に配置され、蓋部１４の外径より大きく、専用プレス機によってプレスされた場合に蓋部１４のエッジ１４Ａを回り込むように被覆するだけの十分な大きさの外径を有する防護部１３と、この防護部１３の上方に配置され、蓋部１４の外径以下の径を有し、弾性体によって形成される弾性部１２と、弾性部１２の上方に配置され、弾性部１２の外径以下の径を有し、弾性体によって形成される補助弾性部１２Ａと、補助弾性部１２Ａの上方に配置され、柔軟性のある素材によって形成され、蓋部１４の外径より大きく、専用プレス機によってプレスされた場合に蓋部１４のエッジ１４Ａを回り込むように被覆するだけの十分な大きさの外径を有するシート状の装飾部１１と、前記蓋部の前記底の形状に相応した形状をなし、蓋部１４の内径より小さく、前記蓋部と嵌合する外径を有する底部１５と、を備える。
【００４４】
従って、手で触ったときに弾力がるため、高級感があり、表面を手で押した場合に顔などの装飾部１１に形成された図柄が変形し、この図柄が所謂「変顔」になるため、面白みのある缶バッジを提供することができるという効果がある。
【符号の説明】
【００４５】
１  缶バッジ
１１  装飾部
１２  弾性部
１２Ａ  補助弾性部
１３  防護部
１４  蓋部
１４Ａ  エッジ
１５  底部
【図１】
2019005414.tif 000003
【図２】
2019005414.tif 000004
【図３】
2019005414.tif 000005
【図４】
2019005414.tif 000006
【図５】
2019005414.tif 000007
【図６】
2019005414.tif 000008
【図７】
2019005414.tif 000009
【図８】
2019005414.tif 000010